【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
骨成長を刺激するためのインプラント組成物であって：
（ａ）第１の硫酸カルシウム化合物、
（ｂ）第２の硫酸カルシウム化合物、および少なくとも１つの吸収可能なポリマーを含むポリマー含有粒子、ならびに
（ｃ）該硫酸カルシウム化合物および該ポリマー含有粒子を不均質な固体組成物に硬化するための硬化剤を含み、
ここで、硬化に際し、該硫酸カルシウム化合物がマトリックスを形成し、そして該ポリマー含有粒子が、該マトリックス内に固定される、組成物。
【請求項２】
骨成長を刺激するためのインプラント組成物であって：
（ａ）硫酸カルシウム化合物、
（ｂ）吸収可能なポリマーで被覆された粒子、ならびに
（ｃ）該硫酸カルシウム化合物および該吸収可能なポリマーで被覆された粒子を不均質な固体組成物に硬化するための硬化剤を含み、
ここで、硬化に際し、該硫酸カルシウム化合物がマトリックスを形成し、そして該吸収可能なポリマーで被覆された粒子が、該マトリックス内に固定される、組成物。
【請求項３】
前記吸収可能なポリマーで被覆された粒子が、以下：
（ａ）硫酸カルシウム化合物、および
（ｂ）少なくとも１つの吸収可能なポリマーを有するポリマー被覆
を含む、請求項２に記載のインプラント組成物。
【請求項４】
受容部位において、前記インプラント組成物の吸収速度が、約４週から約２８週の範囲にある、請求項１〜３のいずれか１項に記載のインプラント組成物。
【請求項５】
前記マトリックスおよび前記粒子が、受容部位において異なる速度で吸収され、そして該粒子の吸収がより遅い、請求項１〜３のいずれか１項に記載のインプラント組成物。
【請求項６】
請求項１に記載の前記第１硫酸カルシウム化合物が、硫酸カルシウム半水和物であり、請求項２に記載の前記硫酸カルシウム化合物が、硫酸カルシウム半水和物である、請求項１または２に記載のインプラント組成物。
【請求項７】
前記硬化剤が、水、アルカリ金属塩溶液、およびカリウム塩溶液からなる群から選択される、請求項１〜３のいずれか１項に記載のインプラント組成物。
【請求項８】
前記粒子のサイズが、直径にして２０μｍを超える、請求項１〜３のいずれか１項に記載のインプラント組成物。
【請求項９】
請求項１に記載のポリマー含有粒子中の前記第２の硫酸カルシウム化合物が、硫酸カルシウム二水和物、硫酸カルシウム半水和物、およびそれらの混合物からなる群から選択され、そして請求項３に記載の前記ポリマーで被覆された粒子中の硫酸カルシウム化合物が、硫酸カルシウム二水和物、硫酸カルシウム半水和物、およびそれらの混合物からなる群から選択される、請求項１または３に記載のインプラント組成物。
【請求項１０】
前記吸収可能なポリマーが、前記粒子の硫酸カルシウム化合物と混合される、請求項１に記載のインプラント組成物。
【請求項１１】
前記粒子の硫酸カルシウム化合物が、吸収可能なポリマー被覆で被覆される、請求項１に記載のインプラント組成物。
【請求項１２】
前記吸収可能なポリマー被覆の厚さが、約２μｍ〜約５０μｍである、請求項１１または３に記載のインプラント組成物。
【請求項１３】
前記吸収可能なポリマーが、α−ヒドロキシ酸誘導体の脂肪族ポリエステルである、請求項１〜３のいずれか１項に記載のインプラント組成物。
【請求項１４】
前記吸収可能なポリマーが、ポリアクチド、ポリグリコリド、ポリジオキサノン、およびポリε−カプロラクトンからなる群から選択される、請求項１３に記載のインプラント組成物。
【請求項１５】
前記吸収可能なポリマーが、ポリアクチドである、請求項１３に記載のインプラント組成物。
【請求項１６】
前記吸収可能なポリマーが、ポリ（デスアミノチロシル−チロシンエチルエステルカーボネート）およびそれらの誘導体からなる群から選択されるアミノ酸由来のポリマーである、請求項１〜３のいずれか１項に記載のインプラント組成物。
【請求項１７】
前記吸収可能なポリマーが、疎水性ポリマー、カルナウバろう、水溶性ポリマー、ポリビニルアルコール、およびサリチル酸塩を含む治療用ポリマーからなる群から選択される、請求項１〜３のいずれか１項に記載のインプラント組成物。
【請求項１８】
前記ポリマー含有粒子中の吸収可能なポリマーの量が、約０．１％〜約５０％（ｗ／ｗ）の範囲にある、請求項１に記載のインプラント組成物。
【請求項１９】
骨増強および骨欠陥回復のためのインプラント材料のキットであって：
（ａ）第１硫酸カルシウム化合物の乾燥粉末、ならびに
（ｂ）第２の硫酸カルシウム化合物、および少なくとも１つの吸収可能なポリマーを含むポリマー含有粒子、
を備える、キット。
【請求項２０】
骨増強および骨欠陥回復のためのインプラント材料のキットであって：
（ａ）硫酸カルシウム化合物の乾燥粉末、および
（ｂ）吸収可能なポリマーで被覆された粒子、
を備える、キット。
【請求項２１】
請求項１９に記載の前記第１硫酸カルシウム化合物が、硫酸カルシウム半水和物であり、請求項２０に記載の前記硫酸カルシウム化合物が、硫酸カルシウム半水和物である、請求項１９または２０に記載のインプラント材料のキット。
【請求項２２】
前記ポリマー含有粒子のサイズが、直径にして２０μｍを超える、請求項１９または２０に記載のインプラント材料のキット。
【請求項２３】
請求項１９に記載の前記ポリマー含有粒子中の第２の硫酸カルシウム化合物が、硫酸カルシウム二水和物、硫酸カルシウム半水和物、およびそれらの混合物からなる群から選択され、そして請求項２０に記載の前記ポリマー含有粒子中の硫酸カルシウム化合物が、硫酸カルシウム二水和物、硫酸カルシウム半水和物、およびそれらの混合物からなる群から選択される、請求項１９または２０に記載のインプラント材料のキット。
【請求項２４】
前記吸収可能なポリマーが、前記粒子の硫酸カルシウム化合物と混合される、請求項１９に記載のインプラント材料のキット。
【請求項２５】
前記粒子の硫酸カルシウム化合物が、吸収可能なポリマー被覆で被覆される、請求項１９に記載のインプラント材料のキット。
【請求項２６】
前記吸収可能なポリマー被覆の厚さが、約２μｍ〜約５０μｍである、請求項２０または２５に記載のインプラント材料のキット。
【請求項２７】
前記吸収可能なポリマーが、α−ヒドロキシ酸誘導体の脂肪族ポリエステルである、請求項１９または２０に記載のインプラント材料のキット。
【請求項２８】
前記吸収可能なポリマーが、ポリアクチド、ポリグリコリド、ポリジオキサノン、およびポリε−カプロラクトンからなる群から選択される、請求項２７に記載のインプラント材料のキット。
【請求項２９】
前記吸収可能なポリマーが、ポリアクチドである、請求項２７に記載のインプラント材料のキット。
【請求項３０】
前記吸収可能なポリマーが、ポリ（デスアミノチロシル−チロシンエチルエステルカーボネート）およびそれらの誘導体からなる群から選択されるアミノ酸由来のポリマーである、請求項１９または２０に記載のインプラント材料のキット。
【請求項３１】
前記吸収可能なポリマーが、疎水性ポリマー、カルナウバろう、水溶性ポリマー、ポリビニルアルコール、およびサリチル酸塩を含む治療用ポリマーからなる群から選択される、請求項１９または２０に記載のインプラント材料のキット。
【請求項３２】
前記ポリマー含有粒子中の吸収可能なポリマーの量が、約０．１％〜約３０％（ｗ／ｗ）の範囲にある、請求項１９に記載のインプラント材料のキット。
【請求項３３】
前記キットが、受容部位において、異なる速度で吸収される２つの異なるタイプの粒子を備える、請求項１９または２０に記載のインプラント材料のキット。
【請求項３４】
コンテナー中にパックされた、硬化剤をさらに備える、請求項１９または２０に記載のインプラント材料のキット。
【請求項３５】
前記硬化剤が、水、アルカリ金属塩溶液、およびカリウム塩溶液からなる群から選択される、請求項３４に記載のインプラント材料のキット。
【請求項３６】
骨増強および骨欠陥回復のための薬学的組成物であって：
（ａ）硫酸カルシウム化合物、
（ｂ）吸収可能なポリマーで被覆された粒子、および
（ｃ）硬化剤を含み、
ここで、硬化に際し、該薬学的組成物が不均質な固体組成物を形成し、該硫酸カルシウム化合物がマトリックスを形成し、該吸収可能なポリマーで被覆された粒子が、該マトリックス内に固定され、そして該不均質な固体組成物が、骨成長を刺激するため、受容部位において制御された速度で吸収される、組成物。
【請求項３７】
前記薬学的組成物が、受容部位を充填するために処方されている、請求項３６に記載の薬学的組成物。
【請求項３８】
前記薬学的組成物が、前記手術インプラントを前記受容部位に導入する前に、手術インプラントの表面上に混合物を被覆するために処方されている、請求項３６に記載の薬学的組成物。
【請求項３９】
前記硬化剤が、前記薬学的混合物の前記不均質な固体組成物への硬化速度を制御する、請求項３６に記載の薬学的組成物。
【請求項４０】
前記硬化剤が、水、アルカリ金属塩溶液、およびカリウム塩溶液からなる群から選択される、請求項３９に記載の薬学的組成物。
【請求項４１】
前記吸収可能なポリマーで被覆された粒子が、受容部位において、異なる速度で吸収する、２つの異なるタイプの、吸収可能なポリマーで被覆された粒子である、請求項３６に記載の薬学的組成物。